(57)【特許請求の範囲】
【請求項１】
複数のＬＥＤ（２）を有しているパッケージングユニット（Ｒ1，Ｒ2，Ｒ3）を製造するための方法において、
ａ）各パッケージングユニット（Ｒ1，Ｒ2，Ｒ3）に対して、少なくとも一つの測光法的測定量（Φ，Ｃx，Ｃy）に関する目標値範囲を設定し、但し、前記パッケージングユニット（Ｒ1，Ｒ2，Ｒ3）におけるＮ≧３の一定の数の連続する複数のＬＥＤ（２）に関する前記測光法的測定量（Φ，Ｃx，Ｃy）の平均値は目標値範囲内にあるべきであり、
ｂ）前記複数のＬＥＤ（２）及び前記パッケージングユニット（Ｒ1，Ｒ2，Ｒ3）を準備し、
ｃ）前記複数のＬＥＤ（２）から、前記パッケージングユニット（Ｒ1，Ｒ2，Ｒ3）の内の一つに未だ配置されていない一つのＬＥＤ（２）を選択し、
ｄ）前記選択されたＬＥＤ（２）に関して、前記少なくとも一つの測光法的測定量（Φ，Ｃx，Ｃy）を測定し、
ｅ）Ｎ−１個以下のＬＥＤ（２）を含んでいる前記パッケージングユニット（Ｒ1，Ｒ2，Ｒ3）の内の一つに前記選択されたＬＥＤ（２）を実装し、但し、前記パッケージングユニット（Ｒ1，Ｒ2，Ｒ3）における複数のＬＥＤは実装の順番で順次並べられ、
ｆ）前記パッケージングユニット（Ｒ1，Ｒ2，Ｒ3）における前記選択されたＬＥＤ（２）の位置及び前記少なくとも一つの測光法的測定量（Φ，Ｃx，Ｃy）の測定値をデータメモリ（６）に記憶し、
ｇ）全てのパッケージングユニット（Ｒ1，Ｒ2，Ｒ3）にＮ−１個のＬＥＤが実装されるまで、前記ステップｃ）からｆ）を繰り返し、
ｈ）前記ステップｃ）及びｄ）を繰り返し、前記パッケージングユニット（Ｒ1，Ｒ2，Ｒ3）の各々に最後に配置されたＮ−１個のＬＥＤ及び前記選択された一つのＬＥＤ（２）に関して生じる、前記少なくとも一つの測光法的測定量（Φ，Ｃx，Ｃy）の平均値を算出し、該算出を全てのパッケージングユニット（Ｒ1，Ｒ2，Ｒ3）に対して実施し、
ｉ）前記設定された目標値範囲内にある前記少なくとも一つの測光法的測定量（Φ，Ｃx，Ｃy）の前記算出された平均値を有している一つのパッケージングユニット（Ｒ1，Ｒ2，Ｒ3）に前記選択された一つのＬＥＤ（２）を実装し、なお、前記選択されたＬＥＤ（２）が前記パッケージングユニットに最後に配置されたＬＥＤの直ぐ後に続くように、前記選択されたＬＥＤ（２）を前記パッケージングユニット（Ｒ1，Ｒ2，Ｒ3）に配置するか、又は、
前記測光法的測定量（Φ，Ｃx，Ｃy）の前記算出された平均値が、前記パッケージングユニット（Ｒ1，Ｒ2，Ｒ3）のいずれについても、前記設定された目標値範囲内にない場合には、前記選択されたＬＥＤ（２）を取り除き、
ｊ）前記パッケージングユニット（Ｒ1，Ｒ2，Ｒ3）における前記選択されたＬＥＤ（２）の位置及び前記少なくとも一つの測光法的測定量（Φ，Ｃx，Ｃy）の測定値を前記データメモリ（６）に記憶し、
ｋ）前記パッケージングユニット（Ｒ1，Ｒ2，Ｒ3）に所望の総数のＬＥＤ（２）が実装されるまで、前記ステップｈ）からｊ）を繰り返す、
ことを特徴とする、方法。
【請求項２】
前記少なくとも一つの測光法的測定量は輝度（Φ）及び／又は色位置（Ｃx，Ｃy）である、請求項１に記載の方法。
【請求項３】
前記パッケージングユニット（Ｒ1，Ｒ2，Ｒ3）の前記数は少なくとも４である、請求項１又は２に記載の方法。
【請求項４】
前記パッケージングユニット（Ｒ1，Ｒ2，Ｒ3）はリールである、請求項１乃至３のいずれか一項に記載の方法。
【請求項５】
前記パッケージングユニット（Ｒ1，Ｒ2，Ｒ3）を、目標値範囲内にある前記少なくとも一つの測光法的測定量（Φ，Ｃx，Ｃy）の前記平均値を有している連続するＬＥＤの前記数Ｎによって識別する、請求項１乃至４のいずれか一項に記載の方法。
【請求項６】
前記パッケージングユニット（Ｒ1，Ｒ2，Ｒ3）を、前記少なくとも一つの測光法的測定量（Φ，Ｃx，Ｃy）及び前記目標値範囲によって識別する、請求項１乃至５のいずれか一項に記載の方法。
【請求項７】
前記数Ｎは３以上且つ２５以下である、請求項１乃至６のいずれか一項に記載の方法。
【請求項８】
前記パッケージングユニット（Ｒ1，Ｒ2，Ｒ3）に配置される前記ＬＥＤ（２）の前記総数は、前記数Ｎの少なくとも２０倍である、請求項１乃至７のいずれか一項に記載の方法。
【請求項９】
前記パッケージングユニット（Ｒ1，Ｒ2，Ｒ3）に配置される前記ＬＥＤ（２）の前記総数はそれぞれ少なくとも５００である、請求項１乃至８のいずれか一項に記載の方法。
【発明の詳細な説明】
【技術分野】
【０００１】
本発明は、パッケージングユニットに複数のＬＥＤを配置するための方法及び複数のＬＥＤを有しているパッケージングユニットに関する。
【背景技術】
【０００２】
本願は、ドイツ連邦共和国特許出願第10 2011 103 752.0号の優先権を主張するものであり、その開示内容は参照により本願に含まれるものとする。
【０００３】
ＬＥＤはその効率が高いことから、一般照明用のＬＥＤランプ又は自動車ヘッドライトに使用されることが多くなっている。そこでは、複数のＬＥＤランプが同時に駆動されるケースが多く、また個々のＬＥＤランプがそれぞれ複数のＬＥＤを含んでいると考えられる。
【０００４】
並んで配置されている種々のＬＥＤランプがその輝度及び／又は色に関して均一なイメージを提供するために、種々のＬＥＤランプから放出される放射がそれぞれ同一の輝度及び／又は同一の色位置を有していることが望ましい。もっともＬＥＤの製造時には、特にＬＥＤが異なる製造系列に由来する場合には、個々のＬＥＤ間で僅かな輝度差又は色差が生じることを排除することはできない。このことから、ＬＥＤはＬＥＤメーカによって出荷前にグルーピング（いわゆるビニング）されることが多く、その場合、複数のＬＥＤから成るグループ（いわゆるビン）は、例えばそのグループの全てのＬＥＤが同一の輝度及び／又は色位置を有している点で優れている。ＬＥＤランプの製造時に単一のグループに由来する複数のＬＥＤだけが使用される場合には、それらのＬＥＤが実装されている全ての照明は同一の輝度及び／又は同一の色位置を有していることが保証されている。しかしながらその場合には、個々のＬＥＤをＬＥＤランプへと更に加工するＬＥＤメーカの顧客はその都度、同一のＬＥＤグループに由来するＬＥＤだけを使用し、それにより異なる製造系列の全ての照明が同一の輝度及び／又は同一の色位置を有するようにすることが必要になる。その代わりに、照明メーカがＬＥＤランプの実装に関して、複数のＬＥＤを含む照明が全体として輝度及び／又は色位置に関する所望の目標値を有するように、異なる輝度及び／又は色位置を有している種々のＬＥＤグループの中から所期のように複数のＬＥＤを選択することも考えられる。このことは、照明メーカが異なる輝度及び／又は色位置を有しているグループの中から複数のＬＥＤを使用できるという利点を有していると考えられるが、しかしながら他方ではこれによって、個々のＬＥＤランプの実装に関して、種々のパッケージングユニットの中から複数のＬＥＤを使用しなければならないので、製造コストが上昇してしまう。
【発明の概要】
【発明が解決しようとする課題】
【０００５】
本発明の課題は、所定数の複数のＬＥＤを有しているＬＥＤ装置が少なくとも一つの測光法的測定量に関する目標値範囲を達成し、またその際に、パッケージングユニットから複数のＬＥＤをＬＥＤ装置に実装するためのコストが低いことも達成する、複数のＬＥＤをパッケージングユニットに配置するための方法を提供することである。更に、複数のＬＥＤを備えている有利なパッケージングユニットが提供されるべきである。
【課題を解決するための手段】
【０００６】
この課題は、独立請求項に記載されている、パッケージングユニットに複数のＬＥＤを配置するための方法及び複数のＬＥＤを有しているパッケージングユニットによって解決される。本発明の有利な実施の形態及び発展形態は従属請求項に記載されている。
【０００７】
複数のＬＥＤが複数のパッケージングユニットに配置される方法が提供される。
【０００８】
本方法の少なくとも一つの実施の形態によれば、第１のステップにおいて、各パッケージングユニットに対して、少なくとも一つの測光法的測定量に関する目標値範囲が設定され、その際、パッケージングユニットにおけるＮ≧３の一定の数の連続するＬＥＤに関する測光法的測定量の平均値が目標値範囲内にあるべきである。
【０００９】
本方法の一つの構成では、目標値範囲と、その目標値範囲内にあるべき測光法的測定量の平均値を有している連続するＬＥＤの一定の数Ｎとが複数のパッケージングユニットに対して同一である。例えば、複数あるパッケージングユニットの内の一つから取り出されるべき、連続する４個のＬＥＤはそれぞれ、目標値範囲内にあるべき測光法的測定量の一つの平均値を有するべきである。つまりその場合には、全てのパッケージングユニットに対してＮ＝４である。
【００１０】
しかしながら択一的に、複数のパッケージングユニットが、目標値範囲内にある少なくとも一つの測光法的測定量の平均値を有している、連続するＬＥＤの一定の数及び／又は目標値範囲に関して異なっていても良い。例えば、３個のパッケージングユニットに対して同時に実装を行うことができ、その際に、第１のパッケージングユニットにおける測光法的測定量の平均値は、Ｎ1＝３個の連続するＬＥＤに関して目標値範囲内にあるべきである。第２のパッケージングユニットにおいては、測光法的測定量の平均値が例えばＮ2＝５個の連続するＬＥＤに関して目標値範囲内にあるべきであり、また第３のパッケージングユニットにおいては、測光法的測定量の平均値が例えばＮ3＝７個の連続するＬＥＤに関して目標値範囲内にあるべきである。目標値範囲内にあるべき測光法的測定量の平均値を有している、パッケージングユニットにおける連続するＬＥＤの数Ｎは、有利には、オプトエレクトロニクス素子への実装を行うＬＥＤメーカの顧客がパッケージングユニットから取り出すＬＥＤの数に応じて設定される。例えば、一つのパッケージングユニットに由来する複数のＬＥＤでもって、各オプトエレクトロニクス素子に５個のＬＥＤが実装されるべき場合には、そのパッケージングユニットに対してＮ＝５が設定される。その場合、パッケージングユニットは、以下において説明する方法を用いて、任意の位置においてパッケージングユニットに配置されている順番で取り出される連続する５個のＬＥＤがそれぞれ所定の目標値範囲内にある測光法的測定量の平均値を有しているように実装される。
【００１１】
本方法においては、複数のＬＥＤが、例えばそれらのＬＥＤを有利には自動的に個別に取り出すことができるリザーバ内に準備される。複数のＬＥＤには例えば１０００個以上、又はそれどころか１００００個以上のＬＥＤが含まれると考えられる。特に、複数のＬＥＤは、ＬＥＤメーカの顧客に出荷される前にパッケージングユニット内に配置されるべきである同種のＬＥＤの製造系列であると考えられる。更に、複数のＬＥＤが配置されるべき複数のパッケージングユニットが準備される。
【００１２】
少なくとも一つの実施の形態によれば、複数のＬＥＤから、複数あるパッケージングユニットの内の一つに未だ配置されていない一つのＬＥＤが選択される。選択されたＬＥＤは例えばリザーバから取り出された任意のＬＥＤである。
【００１３】
続いて、選択されたＬＥＤに関して、少なくとも一つの測光法的測定量が測定される。
【００１４】
続くステップにおいては、未だＮ−１個以下の数のＬＥＤしか含んでいないパッケージングユニットの内の一つに、選択されたＬＥＤが実装される。それらのＬＥＤはパッケージングユニットにおいてそれぞれ実装される順番で相前後して並べられる。換言すれば、それら複数のＬＥＤはパッケージングユニットに連続的に配置され、その際に、最初にパッケージングユニットに配置されたＬＥＤは第１の位置に配置され、パッケージングユニットに二番目に配置されたＬＥＤは第２の位置に配置され、三番目に配置されたＬＥＤは第３の位置に配置され、以下同様に配置されていく。従って、パッケージングユニットにＬＥＤが実装された順序で、又はそれとは逆の順序で、ＬＥＤを再びパッケージングユニットから取り出すことができる。
【００１５】
パッケージングユニットにおける選択されたＬＥＤの位置及び少なくとも一つの測光法的測定量の測定値が有利にはデータメモリに記憶される。
【００１６】
ＬＥＤを選択するステップ、選択されたＬＥＤの少なくとも一つの測光法的測定量を測定するステップ、パッケージングユニットの内の一つに選択されたＬＥＤを実装するステップ、並びに、選択されたＬＥＤの測定値及び位置を記憶するステップは、全てのパッケージングユニットにＮ−１個のＬＥＤが実装されるまで以下繰り返される。
【００１７】
少なくとも一つの実施の形態によれば、続けて、パッケージングユニットの内の一つに未だ配置されていない別のＬＥＤが選択され、その選択されたＬＥＤに関して少なくとも一つの測光法的測定量が測定される。
【００１８】
続けて、各パッケージングユニットに最後に配置されたＮ−１個のＬＥＤ及び選択されたＬＥＤに関して得られる少なくとも一つの測光法的測定量の平均値が算出される。この算出は有利には全てのパッケージングユニットに対して実施される。このために、各パッケージングユニットに最後に配置されたＮ−１個のＬＥＤの測定値がデータメモリから読み出される。少なくとも一つのパッケージングユニットに関して、パッケージングユニットに最後に配置されたＮ−１個のＬＥＤに選択されたＬＥＤを追加することにより生じる複数のＮ個のＬＥＤが、設定された目標値範囲内にある少なくとも一つの測光法的測定量の平均値を有しているか否かが検査される。
【００１９】
後続のステップにおいては、有利には、事前に設定された目標値範囲内にある少なくとも一つの測光法的測定量のそのようにして算出された平均値を有している、選択されたＬＥＤが一つのパッケージングユニットに実装される。そのようにして、パッケージングユニットに最後に配置されたＮ個のＬＥＤが、設定された目標値範囲内にある測光法的測定量の平均値を有していることが保証される。選択されたＬＥＤがこの方法ステップにおいて、パッケージングユニットに最後に配置されたＬＥＤの直ぐ後に続くように、パッケージングユニットに配置される。つまりそれらのＬＥＤは実装される順番で相前後して並べられる。
【００２０】
パッケージングユニットに最後に配置されたＮ−１個のＬＥＤ及び選択されたＬＥＤに関する少なくとも一つの測光法的測定量の平均値が、いずれのパッケージングユニットに関しても事前に設定された目標値範囲内にない場合には、選択されたＬＥＤをいずれのパッケージングユニットにも配属させることはできず、従ってその選択されたＬＥＤは取り除かれる。取り除かれたＬＥＤは、場合によっては後の方法ステップにおいてパッケージングユニットの内の一つに配属されることも考えられるので、有利にはそれらのＬＥＤが有利には一時保管場所に保管されるか、又は再びリザーバに供給される。
【００２１】
パッケージングユニットにおける選択されたＬＥＤの位置及び少なくとも一つの測光法的測定量の測定値が有利にはデータメモリに記憶される。
【００２２】
ＬＥＤを選択するステップ、測光法的測定量の平均値を算出するステップ、パッケージングユニットに選択されたＬＥＤを実装するステップ、並びに、測定値及び位置を記憶するステップ、また必要に応じてＬＥＤを取り除くステップは、パッケージングユニットに所望の総数のＬＥＤが実装されるまで以下何度も繰り返される。
【００２３】
上述の方法でもって、有利には、ちょうどＮ個の複数のＬＥＤがそれぞれ、事前に設定された目標値範囲内にある少なくとも一つの測光法的測定量の平均値を有しているように、パッケージングユニットにＬＥＤが実装される。即ち、ちょうどＮ個の連続するＬＥＤがパッケージングユニットから取り出される場合、それらの複数のＮ個のＬＥＤに関する測光法的測定量の平均値は所定の目標値範囲内にあることが保証されている。パッケージングユニットからＬＥＤを取り出す際に、連続するＬＥＤの内の最初のＬＥＤがパッケージングユニットのどの位置から取り出されるかは重要ではない。特に、ちょうどＮ個の連続する複数のＬＥＤの少なくとも一つの測光法的測定量の平均値は、それらのＬＥＤが実装された順序とは逆の順序でパッケージングユニットから取り出される場合であっても所定の目標値範囲内にある。更に、Ｎ個の整数倍の個数のＬＥＤの平均値も目標値範囲内にある。つまり、構成素子にＮ個のＬＥＤを実装するための、数Ｎによって識別されるパッケージングユニットは、２Ｎ個のＬＥＤ、３Ｎ個のＬＥＤ、以下同様、の個数のＬＥＤを構成素子に実装するためにも使用することができる。
【００２４】
連続するちょうどＮ個のＬＥＤがそれぞれ、パッケージングユニットに配置するための本明細書で説明する方法に基づき、目標値範囲内にある測光法的測定量の平均値を有していることによって、このことはパッケージングユニットにおけるＬＥＤの数が別の数であっても該当することは勿論排除されない。
【００２５】
本明細書で説明する、パッケージングユニットに複数のＬＥＤを配置するための方法は、パッケージングユニットがそれぞれ一定の数のＮ個のＬＥＤを有しているオプトエレクトロニクス素子への実装のために設けられている場合には特に有利であるが、その場合、Ｎ個のＬＥＤは平均して測光法的測定量に関する目標値を有している必要がある。特に、本明細書で説明する、パッケージングユニットにおける複数のＬＥＤの配置は、Ｎ個のＬＥＤの平均値が少なくとも一つの測光法的測定量の目標値を満たす場合には、少なくとも個々のＬＥＤの少なくとも一つの測光法的測定量における僅かな差を許容することができる構成素子の実装にとって有利である。このことは例えば、複数のＬＥＤが例えば光散乱性のカバーに基づき別個に認識することができないか、又は認識することが困難であるオプトエレクトロニクス素子の場合である。
【００２６】
有利な実施の形態においては、少なくとも一つの測光法的測定量はＬＥＤの輝度である。この場合、有利には、連続的な一連のＮ個の複数の各ＬＥＤが平均して、設定された目標値範囲内にある輝度を有しているように、それら複数のＬＥＤがパッケージングユニットに配置される。
【００２７】
一つの別の実施の形態においては、少なくとも一つの測光法的測定量はＬＥＤの色位置である。色位置を、特にＣＩＥ表色系における座標Ｃx及びＣyによって表すことができる。この構成において、パッケージングユニットにおけるＮ個の連続するＬＥＤの色座標Ｃx，Ｃyの平均値はそれぞれ設定された目標値範囲内にある。従って、その一定数のＮ個のＬＥＤはそれぞれ同一の色印象を有している。
【００２８】
本方法においては、ＬＥＤを配置するために複数の測光法的測定量を使用することができる。一つの特に有利な実施の形態においては、測光法的測定量がＬＥＤの輝度及びＬＥＤの色位置である。この実施の形態においては、所定数のＮ個のＬＥＤに関して輝度の平均値も色座標の平均値も所定の目標値範囲内にあるように、複数のＬＥＤがパッケージングユニットに配置される。このようにして、一定数のＮ個の連続するＬＥＤが所定の輝度及び所定の色位置に対する要求を満たしていることが保証される。
【００２９】
複数のＬＥＤをパッケージングユニットに所期のように配置するために、輝度及び／又は色位置に代替的及び／又は付加的に、他の測光法的測定量を本方法において使用することができる。例えば、測光法的測定量は演色性ＣＲＩ（Colour Rendering Index）又はＬＥＤの輝度最大値の波長λmaxであっても良い。更には、パッケージングユニットにＬＥＤを配置するために、少なくとも一つの測光法的測定量の他に、電気的測定量を使用することもできる。電気的測定量として例えばＬＥＤの順方向バイアスＵfが考えられる。
【００３０】
本方法において、パッケージングユニットの数は少なくとも４個である。例えば、４個以上且つ１０個以下のパッケージングユニットに同時に実装を行うことができる。
【００３１】
ＬＥＤのパッケージングユニットは特にリールで良い。ＬＥＤはリールにおいて、そのリールから容易に取り出すことができることができるようにテープに固定される。ＬＥＤをリールから簡単に、そのリールにＬＥＤが実装された順序で、又はそれとは逆の順序で取り出すことができる。
【００３２】
一つの有利な実施の形態においては、パッケージングユニットが、目標値範囲内にある少なくとも一つの測光法的測定量の平均値を有している、連続する複数のＬＥＤの数Ｎによって識別される。従って、オプトエレクトロニクス素子の実装のためにパッケージングユニットを使用するＬＥＤメーカの顧客は、パッケージングユニットから、目標値範囲内にある少なくとも一つの測光法的測定量の平均値を有している連続するＬＥＤの数Ｎは幾つであるかを得ることができる。従って、それぞれがＮ個の複数のＬＥＤを有しているオプトエレクトロニクス素子の実装のために、その値Ｎでもって識別されるパッケージングユニットを選択することができる。
【００３３】
有利には、パッケージングユニットは、少なくとも一つの測光法的測定量及び所属の目標値範囲によって識別される。
【００３４】
目標値範囲内にある少なくとも一つの測光法的測定量の平均値を有しているＬＥＤの数Ｎは、有利には３以上且つ２５以下、特に有利には３以上且つ１５以下である。
【００３５】
パッケージングユニットに配置されるＬＥＤの総数は有利には数Ｎよりも遙かに多い。
【００３６】
有利には、パッケージングユニットに配置されるＬＥＤの総数は、数Ｎの少なくとも２０倍、１００倍、又はそれどころか５００倍である。
【００３７】
パッケージングユニットに配置されるＬＥＤの総数は有利にはそれぞれ少なくとも５００である。有利には、パッケージングユニットに配置されるＬＥＤの総数はそれぞれ少なく１０００、それどころか少なくとも５０００である。例えば、パッケージングユニットは５００以上且つ２００００以下の個数のＬＥＤを含むことができる。
【００３８】
更に、本明細書で説明する有利な方法でもってＬＥＤが配置されている、複数のＬＥＤを有しているパッケージングユニットが提供される。
【００３９】
一つの有利な構成によれば、パッケージングユニットは複数のＬＥＤを有しており、それらのＬＥＤはパッケージングユニットに順番に配置されている。少なくとも一つの測光法的測定量の平均値は、パッケージングユニットの任意の位置において取り出されるＮ≧３個の連続する複数のＬＥＤに関して、その少なくとも一つの測光法的測定量に関する目標値範囲内にある。ここで、パッケージングユニットは数Ｎによって識別される。パッケージングユニット内に配置されるＬＥＤの総数は有利には数Ｎの少なくとも２０倍である。
【００４０】
パッケージングユニットの別の有利な構成は、方法に関する上記の説明から理解される。
【００４１】
複数のＬＥＤをパッケージングユニットに配置するための方法及びパッケージングユニットを、以下では図１から図９を参照しながら、複数の実施例に基づき詳細に説明する。
【図面の簡単な説明】
【００４２】
【図１】概略的に示した中間ステップに基づく、パッケージングユニットに複数のＬＥＤを配置するための方法の実施例を示す。
【図２】概略的に示した中間ステップに基づく、パッケージングユニットに複数のＬＥＤを配置するための方法の実施例を示す。
【図３】概略的に示した中間ステップに基づく、パッケージングユニットに複数のＬＥＤを配置するための方法の実施例を示す。
【図４】概略的に示した中間ステップに基づく、パッケージングユニットに複数のＬＥＤを配置するための方法の実施例を示す。
【図５】概略的に示した中間ステップに基づく、パッケージングユニットに複数のＬＥＤを配置するための方法の実施例を示す。
【図６】概略的に示した中間ステップに基づく、パッケージングユニットに複数のＬＥＤを配置するための方法の実施例を示す。
【図７】概略的に示した中間ステップに基づく、パッケージングユニットに複数のＬＥＤを配置するための方法の実施例を示す。
【図８】概略的に示した中間ステップに基づく、パッケージングユニットに複数のＬＥＤを配置するための方法の実施例を示す。
【図９】それぞれが複数のＬＥＤを有しているパッケージングユニットの概略図を示す。
【発明を実施するための形態】
【００４３】
同一の構成部材又は同様に作用する構成部材には図面においてそれぞれ同一の参照番号を付している。図示されている構成部材並びに構成部材の相互の比率は縮尺通りではないと解するべきである。
【００４４】
本明細書において説明する方法によって、複数のＬＥＤ、例えば一つのＬＥＤメーカによって製造される一つの製造系列を複数のパッケージングユニットにパッケージングし、それらのパッケージングユニットを例えば顧客に出荷することができる。
【００４５】
図１に示されているように、パッケージングユニットは例えばリールＲ1，Ｒ2，Ｒ3で良い。各リールはテープ１を有しており、そのテープ１の上に複数のＬＥＤを固定することができる。分かり易くするために、本方法を以下では３個のパッケージングユニットＲ1，Ｒ2，Ｒ3を用いる実施例に基づき説明する。しかしながら、本方法においてより多くのパッケージングユニットを使用することもでき、その場合には有利には少なくとも４個のパッケージングユニットが使用される。
【００４６】
本方法では、Ｍ個の各パッケージングユニットの各々において（ここでＭはパッケージングユニットの数である）、連続する一定の数Ｎm（ｍ＝１〜Ｍ）の複数のＬＥＤが、所定の目標値範囲内にある少なくとも一つの測光法的測定量の平均値を有している。
【００４７】
この数Ｎmは同時に実装が行われる複数のパッケージングユニットに対してそれぞれ異なっていても良い。例えば、図１に示されている実施例においては、Ｎ1＝３に設定されている第１のパッケージングユニットＲ1、Ｎ2＝４に設定されている第２のパッケージングユニットＲ2、またＮ3＝６に設定されている第３のパッケージングユニットＲ3に同時にＬＥＤが実装される。即ち、数Ｎmを全てのパッケージングユニットｍ＝１〜Ｍに対して別個に決定することができる。択一的に、Ｎmが全てのパッケージングユニットに対して同一であっても良い。
【００４８】
更に各パッケージングユニットＲ1，Ｒ2，Ｒ3に対して、各Ｎm個のＬＥＤの平均値によって満たされるべき、少なくとも一つの測光法的測定量に関する目標値範囲が設定される。測光法的測定量として特に輝度Φが考えられる。有利には、各パッケージングユニットに対して、区間［Φmin，Φmax］m（但しｍ＝１〜Ｍ）が目標値範囲として設定される。ここでΦminは許容最小輝度であり、Φmaxは許容最大輝度である。目標値範囲が全てのパッケージングユニットに対して同一であることも考えられる。しかしながら択一的に、複数のパッケージングユニットに対して異なる目標値範囲が設定されても良い。
【００４９】
有利な実施の形態においては、複数のＬＥＤを複数のパッケージングユニットに配置するために、一つ又は複数の別の測光法的測定量が使用される。輝度の他に、又は輝度の代わりに、特にＬＥＤの色位置を測光法的測定量として使用することができる。ＬＥＤの色位置を例えば、ＣＩＥ表色系における色座標Ｃx及びＣyによって表すことができる。ここで説明する実施例では、有利には輝度Φも色座標Ｃx，Ｃyも測光法的測定量として、ＬＥＤをパッケージングユニットに配置するために使用することができる。輝度Φに対する場合と同様に、色座標Ｃx及びＣyに対しても、それぞれ一つの目標値範囲［Ｃx,min，Ｃx,max］m及び［Ｃy,min，Ｃy,max］m（但しｍ＝１〜Ｍである）が設定される。色座標に関する目標値範囲は、全てのパッケージングユニットに対して同一であって良いが、異なる値を有していても良い。設定された数Ｎm及び目標値範囲は有利にはデータメモリ６に記憶される。
【００５０】
図２に示されているように、パッケージングユニット内に配置されるべき複数のＬＥＤ２が例えばリザーバ３内に準備され、このリザーバ３からそれら複数のＬＥＤ２を個別に取り出すことができる。本方法においては、ＬＥＤ２が順次リザーバ３から取り出され、パッケージングユニットに分配される。
【００５１】
続けて、選択されたＬＥＤ２に関して、図３に概略的に示されているように、少なくとも一つの測光法的測定量が測定される。このために、ＬＥＤ２から放出される放射４が、例えば分光測光器５及び／又はフォトダイオードを用いて測定される。ここで説明する実施例においては、ＬＥＤ２の輝度Φ及び色座標Ｃx，Ｃyが測定される。しかしながら択一的に、別の測光法的測定量、例えば強度最大値の波長λmax及び／又は演色性（ＣＲＩ）を測定することもできる。更には、少なくとも一つの測光法的測定量の他に、ＬＥＤ２の電気的測定量、例えば順方向バイアスを測定することもできる。少なくとも一つの測光法的測定量の測定値がデータメモリに記憶される。つまり、ここで説明する実施例においては、選択されたＬＥＤ２に関する輝度Φ及び色座標Ｃx，Ｃyがデータメモリ６に記憶される。
【００５２】
図４に概略的に示されている更なる方法ステップにおいては、選択されたＬＥＤ２がパッケージングユニットＲ1，Ｒ2，Ｒ3の内の一つに配属される。更に、パッケージングユニットＲ1，Ｒ2，Ｒ3がそれぞれＮm−１個のＬＥＤを有するまで、各パッケージングユニットにＬＥＤが実装される。つまり、パッケージングユニットにおいて、設定された目標値範囲内にある、少なくとも一つの測光法的測定量の平均値を有しているべき、連続する複数のＬＥＤの事前に設定された数Ｎmよりも少ない数のＬＥＤを各パッケージングユニットが有するように、各パッケージングユニットに差し当たり多数のＬＥＤが配置される。図４に示されているように、選択された最初のＬＥＤ２は例えば１番目のＬＥＤとしてリールＲ1に配置される。
【００５３】
ＬＥＤ２がリールＲ1の第１の位置に配置された後に、有利にはＬＥＤ２の位置及び所属の測光法的測定量Φ，Ｃx，Ｃyがデータメモリ６に記憶される。位置は例えばＰm,kとして記録される。ここで、ｍはパッケージングユニットの番号を表し、ｋはパッケージングユニットにおけるＬＥＤ２の番号を表す。つまり第１のパッケージングユニットの１番目のＬＥＤは位置Ｐ1,1を有している。更に、パッケージングユニットＲ１にはｚ1＝１の数のＬＥＤが配置されていることがデータメモリ６に記憶される。
【００５４】
同様に、続けて別のＬＥＤ２がリザーバから取り出され、測光法的測定量が測定され、ＬＥＤがパッケージングユニットＲ1，Ｒ2，Ｒ3に配属される。各パッケージングユニットＲ1，Ｒ2，Ｒ3において数がＮm−１に達するまでは、選択された各ＬＥＤ２のパッケージングユニットの内の一つへの配属を一定の規則に従って実施する必要はない。差し当たり、いずれのパッケージングユニットにもＮm−１個より多い数のＬＥＤは実装されないという条件だけが満たされれば良い。従って、パッケージングユニットＲ1，Ｒ2，Ｒ3には、パッケージングユニット内のＬＥＤ２の個数がその数に達するまで、ＬＥＤを例えば順次実装することができるか、又はランダムに実装することができる。もっとも、測定された測光法的測定量に基づき、選択された各ＬＥＤ２がどのパッケージングユニットＲ1，Ｒ2，Ｒ3に配属されるかを既に選択することも可能である。
【００５５】
図５には、第１のパッケージングユニットＲ1には既に２個のＬＥＤが実装されており、また第２のパッケージングユニットＲ2には３個のＬＥＤが実装されている、本方法の中間ステップが概略的に示されている。第１のパッケージングユニットＲ1に対しては値Ｎ1＝３が設定されているので、第１のパッケージングユニットＲ1には既にＮ1−１＝２個のＬＥＤが実装されている。第２のパッケージングユニットＲ2に対しては値Ｎ2＝４が設定されているので、第２のパッケージングユニットＲ2にも既にＮ2−１＝３個のＬＥＤが実装されている。従って、選択されたＬＥＤ２は第３のパッケージングユニットＲ3に配置される。この第３のパッケージングユニットＲ3は、付加的なＬＥＤ２が実装される前には、差し当たり１個のＬＥＤを含んでいるので、従って第３のパッケージングユニットＲ3におけるＬＥＤの数は未だＮ3−１＝５よりも少ない。選択されたＬＥＤ２がパッケージングユニットＲ3の第２の位置に配置された後に、このＬＥＤ２の位置Ｐ3,2にはＬＥＤ２の測光法的測定量の測定値Φ，Ｃx，Ｃyが対応付けられ、この値並びに第３のパッケージングユニットＲ3におけるＬＥＤの数ｚ3＝２がデータメモリ６に記憶される。
【００５６】
図６には、各パッケージングユニットＲ1，Ｒ2，Ｒ3に既にＮm−１個のＬＥＤが実装されている、本方法の中間ステップが示されている。輝度Φ及び色座標Ｃx，Ｃyが既に測定されている、選択された別のＬＥＤ２のパッケージングユニットＲ1，Ｒ2，Ｒ3の内の一つへの配属は、先ず、全てのパッケージングユニットに関して、付加的なＬＥＤ２を既存のＮm−１個のＬＥＤに付加した場合に生じる、測光法的測定量の平均値が算出されるように行われる。測光法的測定量の算出された平均値は、続いて、パッケージングユニットに対して事前に設定された目標値範囲と比較される。即ち、各パッケージングユニットに関して、平均値
【数１】
0005897114.tif 000002
がパッケージングユニットに対して設定されている目標値範囲［Φmin，Φmax］m内にあるか否かが検査される。同様にして、平均値
【数２】
0005897114.tif 000003
が事前に設定された目標値範囲［Ｃx,min，Ｃx,max］m及び［Ｃy,min，Ｃy,max］m内にあるか否かが検査される。
【００５７】
ｍ＝１〜Ｍ個のパッケージユニットの内の一つに関して算出された平均値が事前に設定された目標値範囲内にある場合には、選択されたＬＥＤは次のＬＥＤとしてそのパッケージングユニットに配置される。図６の実施例においては、これは例えば第２のパッケージングユニットＲ2に該当するので、選択されたＬＥＤ２は４番目のＬＥＤとして第２のパッケージングユニットＲ2に配置される。ここで第２のパッケージングユニットＲ2に配置された最初の４個のＬＥＤは、測光法的測定量の平均値Φavg，Ｃx,avg及びＣy,avgがそのパッケージングユニットに対して設定された目標値範囲内にあるという条件を満たしている。ＬＥＤ２が４番目のＬＥＤとして第２のパッケージングユニットＲ2に配置された後に、位置Ｐ2,4が所属の測光法的測定量Φ，Ｃx，Ｃyと共にデータメモリ６に記憶され、また第２のパッケージングユニットＲ2におけるＬＥＤの更新された数ｚ2＝４もデータメモリ６に記憶される。
【００５８】
選択されたＬＥＤ２に関して、その測光法的測定量の算出された測定値がいずれのパッケージングユニットＲ1，Ｒ2，Ｒ3についても事前に設定された目標値範囲内にない場合には、選択されたＬＥＤ２を例えば一時保管場所７に保管することができるので、場合によってはそのＬＥＤ２を後の時点に、パッケージングユニットＲ1，Ｒ2，Ｒ3の内の一つに配属することができる。更には、測光法的測定量の算出された平均値が複数のパッケージングユニットについて設定された目標値範囲内にある場合が生じることも考えられる。つまりその場合には、選択されたＬＥＤ２を複数のパッケージングユニットに配属することが可能である。その場合、選択されたＬＥＤ２の適切なパッケージングユニットの内の一つへの配属はランダムに行われるか、又は事前に設定された優先順位に応じて行われる。例えば、その場合には、依然として最も少ない数のＬＥＤを有しているパッケージングユニットに選択されたＬＥＤ２が配属されることを事前に規定することができる。
【００５９】
続けてリザーバから選択されたＬＥＤ２が同様にパッケージングユニットＲ1，Ｒ2，Ｒ3に配属され、その際に、測光法的測定量の平均値を算出するために、各パッケージングユニットに最後に配置されたＮm−１個の各ＬＥＤ及び選択された各ＬＥＤ２が使用される。図７には、例えば、選択されたＬＥＤ２が追加される前に、第１のパッケージングユニットＲ1には８個のＬＥＤが実装されており、第２のパッケージングユニットＲ2には７個のＬＥＤが実装されており、また第３のパッケージングユニットＲ3には９個のＬＥＤが実装されている中間ステップが示されている。測光法的測定量の平均値を算出するために、第１のパッケージングユニットでは、最後に追加されたＮ1−１＝２の２個のＬＥＤ、即ち７番目及び８番目のＬＥＤ、並びに選択されたＬＥＤ２が使用される。第２のパッケージングユニットでは、算出のために、このパッケージングユニットに最後に配置されたＮ2−１＝３個のＬＥＤ、即ち５番目、６番目及び７番目のＬＥＤ及び選択されたＬＥＤ２が使用される。第３のパッケージングユニットでは、このパッケージングユニットに最後に配置されたＮ3−１＝５個のＬＥＤ、即ち５番目、６番目、７番目、８番目及び９番目のＬＥＤ及び選択されたＬＥＤ２が使用される。この算出では例えば、選択されたＬＥＤ２が、第３のパッケージングユニットＲ3に最後に配置された５個のＬＥＤとの組み合わせにおいて、事前に設定された目標値範囲内にある測光法的測定量の平均値を有しているという結果が得られる。即ちその場合には、選択されたＬＥＤ２が第３のパッケージングユニットＲ3における第１０の位置に配置される。従って、位置Ｐ3,10、所属の測光法的測定量Φ，Ｃx，Ｃy及び第３のパッケージングユニットＲ3におけるＬＥＤの更新された数ｚ3＝１０がデータメモリ６に記憶される。
【００６０】
選択されたＬＥＤ２をその都度パッケージングユニットＲ1，Ｒ2，Ｒ3の内の一つにそのようにして配属することによって、事前に設定された数Ｎmの連続するＬＥＤに関する測光法的測定量の平均値が確実に目標値範囲内にあることが保証され、しかもこのことは、Ｎm個の連続するＬＥＤがパッケージングユニットＲ1，Ｒ2，Ｒ3のどの位置から取り出されるかには依存しない。その際に、Ｎm個の連続するＬＥＤが、パッケージングユニットに配置された順序で取り出されるか、又はそれとは逆の順序で取り出されるかも重要ではない。
【００６１】
図８には、図７において実施された中間ステップの後に、選択された別のＬＥＤ２がパッケージングユニットＲ1，Ｒ2，Ｒ3の内の一つに配属されるべき中間ステップが示されている。この場合、例えば、各パッケージングユニットに最後に配置されたＮm−１個のＬＥＤが、選択された付加的なＬＥＤ２との組み合わせにおいて、事前に設定された目標値範囲内にある測光法的測定量の平均値を生じさせるという条件は、いずれのパッケージングユニットＲ1，Ｒ2，Ｒ3についても満たされていないことが明らかになる。従ってこの場合、選択されたＬＥＤ２はいずれのパッケージングユニットにも配属されず、一時保管場所７に保管される。択一的に、以前にＬＥＤ２が取り出されたリザーバにそのＬＥＤ２を再度置くことも可能である。一時保管場所７又はリザーバに保管されたＬＥＤ２を後の時点にパッケージングユニットの内の一つに配属することができる。
【００６２】
上記において説明した方法は、全てのパッケージングユニットＲ1，Ｒ2，Ｒ3に所望の数のＬＥＤが実装されるまで継続される。図９には、各パッケージングユニットＲ1，Ｒ2，Ｒ3に複数のＬＥＤ２が実装された後の、３個のパッケージングユニットＲ1，Ｒ2，Ｒ3が例示的に示されている。図面を簡略化するために、各パッケージングユニットに対してそれぞれ１２個のＬＥＤのみが示されている。実際には、パッケージングユニットＲ1，Ｒ2，Ｒ3に配置されるＬＥＤ２の有利な数はそれぞれ少なく５００、少なくとも１０００、それどころか少なくとも５０００である。典型的には、例えば約５００から２００００個のＬＥＤ２が、パッケージングユニットＲ1，Ｒ2，Ｒ3として機能するリールに配置される。
【００６３】
パッケージングユニットＲ1，Ｒ2，Ｒ3の一つの実施の実施形態においては、パッケージングユニットに配置されるＬＥＤ２の総数は、目標値範囲内にある測光法的測定量の平均値を有している、連続するＬＥＤの数Ｎmの少なくとも２０倍である。特に有利には、パッケージングユニットＲ1，Ｒ2，Ｒ3に配置されるＬＥＤ２の総数は、数Ｎmの少なくとも１００倍、又はそれどころか少なくとも５００倍である。上記において説明した、少なくとも一つの測光法的測定量の平均値に関する条件を満たす、連続するＬＥＤ２の数Ｎmは、有利には３以上且つ２５以下である。パッケージングユニットＲ1，Ｒ2，Ｒ3は有利にはそれぞれ数Ｎmによって識別される。特に有利には、パッケージングユニットＲ1，Ｒ2，Ｒ3は、少なくとも一つの測光法的測定量、例えば輝度Φ及び色位置Ｃx，Ｃy並びに所属の目標値範囲によって識別される。
【００６４】
実装の完了したパッケージングユニットＲ1，Ｒ2，Ｒ3から、任意の位置においてＮm個のＬＥＤを取り出すことができ、それらの複数のＬＥＤに関する輝度Φの平均値及び色位置Ｃx，Ｃyの平均値は確実に目標値範囲内にある。例えば、図９に示唆されているように、第１のパッケージングユニットＲ1からは３番目から５番目のＬＥＤを取り出すことができ、第２のパッケージングユニットＲ2からは６番目から９番目のＬＥＤを取り出すことができ、又は、第３のパッケージングユニットＲ3からは２番目から６番目のＬＥＤを取り出すことができる。
【００６５】
本発明は実施例に基づいた説明によって制限されるものではない。むしろ本発明はあらゆる新規の特徴並びにそれらの特徴のあらゆる組み合わせを含むものであり、これには殊に特許請求の範囲に記載した特徴の組み合わせ各々が含まれ、このことはそのような組み合わせ自体が特許請求の範囲あるいは実施例に明示的には記載されていないにしても当てはまる。
【図１】
0005897114.tif 000004
【図２】
0005897114.tif 000005
【図３】
0005897114.tif 000006
【図４】
0005897114.tif 000007
【図５】
0005897114.tif 000008
【図６】
0005897114.tif 000009
【図７】
0005897114.tif 000010
【図８】
0005897114.tif 000011
【図９】
0005897114.tif 000012